(57)【特許請求の範囲】
【請求項１】
中心穴を備えた第１ディスクと、前記第１ディスクの中心穴より直径の大きい中心穴を備えた第２ディスクとを、いずれか又は双方のディスク面に設けた粘着層を介して貼り合わせるディスク貼り合わせ装置であって、以下の（ａ）〜（ｆ）の構成を備え、（イ）〜（ハ）のステップを遂行するもの：
（ａ）貼着作業テーブル
（ｂ）前記第１ディスクの中心穴に適合する小径部と、前記第２ディスクの中心穴に適合する大径部とを、前者が上、後者が下となるよう、且つ両者間に肩部が生じるよう上下に配置するとともに、前記貼着作業テーブルの下面から上面に向かって突出するセンタリングコア
（ｃ）前記センタリングコアを、前記貼着作業テーブルに対し高さ可変に支持するセンタリングコア支持手段
（ｄ）第１ディスク移載手段
（ｅ）第２ディスク移載手段
（ｆ）第１ディスク押圧手段
（イ）前記センタリングコアの大径部が前記貼着作業テーブル上に突出しているとき、前記第２ディスク移載手段により前記第２ディスクを前記貼着作業テーブルの上に運び、前記第２ディスクをその中心穴が前記センタリングコアの大径部に嵌合した状態で前記貼着作業テーブルに載置するステップ
（ロ）前記第１ディスク移載手段により前記第１ディスクを前記貼着作業テーブルの上に運び、前記第１ディスクの中心穴を前記センタリングコアの小径部に嵌合させるステップ
（ハ）前記第１ディスク及び前記センタリングコアを前記第１ディスク押圧手段で下降させ、前記第１ディスクを前記第２ディスクに押しつけるステップ。
【請求項２】
前記第１ディスク移載手段の構成要素である真空吸着ヘッドを前記第１ディスク押圧手段に兼用したことを特徴とする請求項１に記載のディスク貼り合わせ装置。
【請求項３】
請求項１又は請求項２に記載のディスク貼り合わせ装置であって、さらに以下の（ｇ）、（ｈ）の構成を備え、（ニ）〜（ヘ）のステップを遂行するもの：
（ｇ）第２ディスク準備テーブル
（ｈ）前記第２ディスク準備テーブルに取り外し可能に載置される嵌合案内コア
（ニ）前記第２ディスク準備テーブルに載置された前記嵌合案内コアに前記第２ディスクの中心穴を嵌合するステップ
（ホ）前記嵌合状態にある嵌合案内コアと第２ディスクとを前記第２ディスク移載手段により前記貼着作業テーブルの上に運び、前記嵌合案内コアを前記センタリングコアの小径部に嵌合するステップ
（ヘ）前記第２ディスクを押し下げ、前記嵌合案内コアから前記センタリングコアの大径部の側に移し替えるステップ。
【発明の詳細な説明】
【０００１】
【発明の属する技術分野】
本発明はディスク同士を貼り合わせて一体化するディスク貼り合わせ装置に関する。
【０００２】
【従来の技術】
ＤＶＤ（digital versatile disc）のような光ディスクでは、複数枚のディスクを貼り合わせて１枚のディスクとする。一口にＤＶＤといっても複数の規格があり、どのような厚さのディスクを貼り合わせるかは規格によって異なる。例えば、０．６ｍｍ厚のディスクを２枚貼り合わせて約１．２ｍｍの厚さにするものもあれば、１．０ｍｍのディスクに０．１ｍｍのディスクを貼り合わせて約１．１ｍｍの厚さにするものもある。いずれにせよ、極く薄い、場合によっては「フィルム」と表現したくなるようなディスクを扱うものであり、間に気泡を入れず均一に貼り合わせるためには自動化装置にも特別の工夫が必要になる。
【０００３】
【発明が解決しようとする課題】
本発明は、シンプルな構成で正確な貼り合わせ作業を行うことができ、また貼り合わせが不十分な箇所が生じるおそれのないディスク貼り合わせ装置を提供することを目的とする。
【０００４】
【課題を解決するための手段】
上記目的を達成するため、本発明では、中心穴を備えた第１ディスクと、前記第１ディスクの中心穴より直径の大きい中心穴を備えた第２ディスクとを、いずれか又は双方のディスク面に設けた粘着層を介して貼り合わせるディスク貼り合わせ装置において、以下の（ａ）〜（ｆ）の構成を備え、（イ）〜（ハ）のステップを遂行するものとした。
（ａ）貼着作業テーブル
（ｂ）前記第１ディスクの中心穴に適合する小径部と、前記第２ディスクの中心穴に適合する大径部とを、前者が上、後者が下となるよう、且つ両者間に肩部が生じるよう上下に配置するとともに、前記貼着作業テーブルの下面から上面に向かって突出するセンタリングコア
（ｃ）前記センタリングコアを、前記貼着作業テーブルに対し高さ可変に支持するセンタリングコア支持手段
（ｄ）第１ディスク移載手段
（ｅ）第２ディスク移載手段
（ｆ）第１ディスク押圧手段
（イ）前記センタリングコアの大径部が前記貼着作業テーブル上に突出しているとき、前記第２ディスク移載手段により前記第２ディスクを前記貼着作業テーブルの上に運び、前記第２ディスクをその中心穴が前記センタリングコアの大径部に嵌合した状態で前記貼着作業テーブルに載置するステップ
（ロ）前記第１ディスク移載手段により前記第１ディスクを前記貼着作業テーブルの上に運び、前記第１ディスクの中心穴を前記センタリングコアの小径部に嵌合させるステップ
（ハ）前記第１ディスク及び前記センタリングコアを前記第１ディスク押圧手段で下降させ、前記第１ディスクを前記第２ディスクに押しつけるステップ。
【０００５】
この構成によれば、第２ディスクと第１ディスクを順次センタリングコアに嵌合させたうえで第１ディスク及びセンタリングコアを第１ディスク押圧手段により下降させれば、センタリングコアもろとも第１ディスクが沈下し、第２ディスクに押しつけられる。これにより、第１ディスクと第２ディスクは互いに中心がきちんと合った状態で貼り合わせられる。またセンタリングコアは高さ不変ではなく沈下可能なので、センタリングコアに何かが付着してセンタリングコアの高さ方向の寸法が変化したような場合でも、第１ディスクの第２ディスクへの接近が妨げられるようなことがない。
【０００６】
また本発明では、前記第１ディスク移載手段の構成要素である真空吸着ヘッドを前記第１ディスク押圧手段に兼用した。このように真空吸着ヘッドを第１ディスク押圧手段に兼用することにより、第１ディスク押圧手段を別途設ける必要がない。
【０００７】
また本発明では、前記のようなディスク貼り合わせ装置において、さらに以下の（ｇ）、（ｈ）の構成を備え、（ニ）〜（ヘ）のステップを遂行するものとした。
（ｇ）第２ディスク準備テーブル
（ｈ）前記第２ディスク準備テーブルに取り外し可能に載置される嵌合案内コア
（ニ）前記第２ディスク準備テーブルに載置された前記嵌合案内コアに前記第２ディスクの中心穴を嵌合するステップ
（ホ）前記嵌合状態にある嵌合案内コアと第２ディスクとを前記第２ディスク移載手段により前記貼着作業テーブルの上に運び、前記嵌合案内コアを前記センタリングコアの小径部に嵌合するステップ
（ヘ）前記第２ディスクを押し下げ、前記嵌合案内コアから前記センタリングコアの大径部の側に移し替えるステップ。
【０００８】
この構成によれば、第２ディスクが剛性に乏しくたわみやすいものであっても確実にセンタリングコアに嵌合させることができる。
【０００９】
【発明の実施の形態】
以下、本発明の一実施形態を図に基づき説明する。本発明ディスク貼り合わせ装置の取り扱い対象とするディスクの例を図１９及び図２０に示す。ディスク１は光ディスクであり、第１ディスク２と第２ディスク３を粘着層４を介して貼り合わせたものである。粘着層４は第２ディスク３の表面に設けられていて、第１ディスク２に押しつけられることにより両ディスク２、３を結合する。第１ディスク２及び第２ディスク３は光ディスクにおいて「ディスク基板」及び「光透過性シート」と呼ばれているものに相当する。
【００１０】
第１ディスク２及び第２ディスク３はそれぞれ中心穴５、６を有する。中心穴６は中心穴５より直径が大きい。他方第２ディスク３の外径は第１ディスク２の外径より小さくなっている。粘着層４の外径とその中心穴の直径は第２ディスク３のそれと同じである。
【００１１】
図１はディスク貼り合わせ装置１０の平面図である。３個のインデックステーブル１１、１２、１３が用意されている。インデックステーブル１１は貼着作業テーブル２０を１８０゜間隔で２個支持する。インデックステーブル１２は第１ディスク準備テーブル４０を１８０゜間隔で２個支持する。インデックステーブル１３は第２ディスク準備テーブル５０を１８０゜間隔で２個支持する。インデックステーブル１１、１２、１３の割出回転角度はいずれも１８０゜である。
【００１２】
インデックステーブル１１に対しては剥離ユニット６０が設けられる。インデックステーブル１２に対しては第１ディスク移載手段７０が設けられる。インデックステーブル１３に対しては第２ディスク移載手段８０が設けられる。また図示しないが、インデックステーブル１２に対し第１ディスク供給手段及びディスク取出手段が設けられ、インデックステーブル１３に対し第２ディスク供給手段が設けられる。
【００１３】
貼着作業テーブル２０の構造を図２に示す。貼着作業テーブル２０は平面形状円形であり、中心にセンタリングコア２１を備えている。センタリングコア２１は第１ディスク２及び第２ディスク３のセンター出しを行うためのものであって、直径が３段階に変わる。上段は小径部２２であり、これは第１ディスク２の中心穴５に適合する直径を有する。小径部２２の上部は第１ディスク２をスムーズに迎え入れるためのテーパ部２３となっている。中段は大径部２４であり、これは第２ディスク３の中心穴６に適合する直径を有する。大径部２４と小径部２２の間は肩部２５となっている。下段はフランジ部２６となっており、これは大径部２４よりもさらに直径が大きい。
【００１４】
貼着作業テーブル２０は中心穴２７を有する。この中心穴２７を通じ、センタリングコア２１は貼着作業テーブル２０の下面から上面に向かって突出する。中心穴２７の直径は２段階に変わる。すなわち貼着作業テーブル２０の底面から上面に向かって穿たれた大径穴２８が下段部分を構成する。大径穴２８はセンタリングコア２１のフランジ部２６が自由に上下できる直径になっている。上段部分を構成するのは小径穴２９であり、センタリングコア２１の大径部２４に適合する直径になっている。センタリングコア２１はフランジ部２６が大径穴２８の上端に当たる位置を上限として中心穴２７の中で上下可能である。
【００１５】
センタリングコア２１はセンタリングコア支持手段３０により貼着作業テーブル２０に対し高さ可変に支持されている。センタリングコア支持手段３０を構成するのは圧縮コイルばね３１である。圧縮コイルばね３１はセンタリングコア２１を常時上方へ付勢する。
【００１６】
貼着作業テーブル２０の上面にはセンタリングコア２１を囲むようにリング状の有孔層３５を配置する。有孔層３５は焼結合金等よりなり、その上面が貼着作業テーブル２０の上面と面一になるように貼着テーブル２０に埋め込まれている。有孔層３５は貼着作業テーブル２０の内部において真空吸引通路３６に連通し、貼着テーブル２０に載置される第２ディスク３に対し吸引力を及ぼす。
【００１７】
第１ディスク準備テーブル４０の構造を図３に示す。第１ディスク準備テーブル４０は平面形状円形であり、中心にセンタリングコア４１を備えている。センタリングコア２１と異なり、センタリングコア４１は上下しない。センタリングコア４１は第１ディスク２の中心穴５に適合する直径を有し、その上部は第１ディスク２をスムーズに迎え入れるためのテーパ部４２となっている。
【００１８】
第２ディスク準備テーブル５０の構造を図４に示す。第２ディスク準備テーブル５０は平面形状円形であり、中心に平面形状円形の凹所５１を備えている。凹所５１の中には嵌合案内コア５２が取り外し可能に載置される。凹所５１は、入口は嵌合案内コア５２の外径より大きな直径を有するが、そこから底面に向かってテーパ状にすぼまり、底面においては嵌合案内コア５２の外径に等しい直径となっている。そのため、嵌合案内コア５２を凹所５１に嵌合すれば嵌合案内コア５２は正しく第２ディスク準備テーブル５０の中心に位置決めされることになる。
【００１９】
嵌合案内コア５２はリング状であって、第２ディスク３の中心穴６に適合する外径を有し、その上部は第２ディスク３をスムーズに迎え入れるためのテーパ部５３となっている。また嵌合案内コア５２はセンタリングコア２１の小径部２２に適合する内径を有する。
【００２０】
剥離ユニット６０は第２ディスク３の粘着層４を覆う粘着防止フィルム（図示せず）を剥離するためのものであり、剥離には粘着テープを使用する。粘着テープ６１を巻き掛けたローラ群６２を三次元的に移動させて粘着テープ６１を前記粘着防止フィルムに押し当て、粘着テープ６１に送りをかけると、粘着防止フィルムは粘着層４から引き剥がされ、粘着テープ６１に付着して運び去られる。
【００２１】
第１ディスク移載手段７０は、水平面内で往復回動するアーム７１と、アーム７１の先端に装着された真空吸着ヘッド７２とにより構成される。アーム７１は回動だけでなく上下動も行い、真空吸着ヘッド７２はいわゆるゲートモーションを展開する。
【００２２】
真空吸着ヘッド７２の構造を図５に示す。真空吸着ヘッド７２は平面形状円形であり、下面中央には凹所７３が形設されている。凹所７３はセンタリングコア２１の小径部２２、又はセンタリングコア４１を受け入れる。また真空吸着ヘッド７２の下面には凹所７３を囲むように複数個の真空吸引口７４が設けられている。
【００２３】
なお真空吸着ヘッド７２は第１ディスク押圧手段を兼ねるものである。
【００２４】
第２ディスク移載手段８０は、水平面内で往復回動するアーム８１と、アーム８１の先端に装着された真空吸着ヘッド８２とにより構成される。アーム８１は回動だけでなく上下動も行い、真空吸着ヘッド８２はいわゆるゲートモーションを展開する。
【００２５】
真空吸着ヘッド８２の構造を図６に示す。真空吸着ヘッド８２は平面形状円形で、芯部８３と外輪部８４の内外二重構造になっている。芯部８３と外輪部８４は互いにスライド可能で、図示しない動力機構又はばね機構により相対レベルを変えることができる。
【００２６】
芯部８３の下面には複数個の真空吸引口８５が設けられている。真空吸引口８５は嵌合案内コア５２を吸着するためのものである。外輪部８４の下面には複数個の真空吸引口８６が設けられている。真空吸引口８６は第２ディスク３を吸着するためのものである。真空吸引口８５、８６は真空経路が別で、互いに独立して吸引力を生成できる。
【００２７】
次に、図７〜図１８に基づきディスク貼り合わせ装置１０の動作を説明する。
【００２８】
図７は、図示しない第２ディスク供給手段が第２ディスク準備テーブル５０の上へ第２ディスク３を運んできたところである。この第２ディスク準備テーブル５０は、インデックステーブル１３が第２ディスク移載手段８０から離れた位置に保持している方の準備テーブルである。第２ディスク準備テーブル５０の上では嵌合案内コア５２が凹所５１に着座し、第２ディスク３を待ち受けている。
【００２９】
図８では第２ディスク３が第２ディスク準備テーブル５０の上に載置された。嵌合案内コア５２に第２ディスク３の中心穴６が嵌合している。前記第２ディスク供給手段が退避した後、インデックステーブル１３が１８０゜回動し、第２ディスク移載手段８０の真空吸着ヘッド８２の下へ、第２ディスク３を載置した第２ディスク準備テーブル５０を移動させる。
【００３０】
図９は真空吸着ヘッド８２が第２ディスク３を嵌合案内コア５２もろとも吸着し、第２ディスク準備テーブル５０から持ち上げた状態を示す。
【００３１】
図１０は第２ディスク３と嵌合案内コア５２を吸着した真空吸着ヘッド８２がアーム８１の回動により貼着作業テーブル２０の上に移動した状態を示す。この貼着作業テーブル２０はインデックステーブル１１によって第２ディスク移載手段８０に近い側に保持されている方のテーブルである。
【００３２】
図１１は真空吸着ヘッド８２が下降し、嵌合案内コア５２がセンタリングコア２１の小径部２２に嵌合した状態を示す。芯部８３の下降はこれで止まる。外輪部８４の下降はなおも続く。
【００３３】
図１１では第１ディスク準備テーブル４０にも動きがある。すなわち図示しない第１ディスク供給手段が第１ディスク準備テーブル４０の上へ第１ディスク２を運んできた。この第１ディスク準備テーブル４０は、インデックステーブル１２によって第１ディスク移載手段７０から離れた位置に保持されている方の準備テーブルである。
【００３４】
図１２は第２ディスク３が貼着作業テーブル２０の上面に当たるところまで真空吸着ヘッド８２の外輪部８４が下降した状態を示す。これにより第２ディスク３は、嵌合案内コア５２からセンタリングコア２１の大径部２４に移し替えられた。ここで貼着作業テーブル２０側の真空吸引通路３６が吸引を開始する。外輪部８４の真空吸引口８６は吸引を断つ。
【００３５】
また図１２においては、第１ディスク２がその中心穴５をセンタリングコア４１に嵌合させる形で第１ディスク準備テーブル４０の上に載置された。前記第１ディスク供給手段はその後退避する。
【００３６】
図１３は第２ディスク３を後に残して真空吸着ヘッド８２が上昇した状態を示す。芯部８３の真空吸引口８５は吸引を続けているので、嵌合案内コア８５は真空吸着ヘッド８２とともに上昇し、センタリングコア２１から引き抜かれる。
【００３７】
真空吸引口８６が吸引を断った後も、少しの間真空吸引口８６に負圧が残留する。この負圧のため、第２ディスク３は真空吸着ヘッド８２に追随しようとする。しかしながらこの時既に有孔層３５が第２ディスク３を吸い付けているので、第２ディスク３がめくれ上がったり、めくれ上がりが原因で第２ディスク３にしわが寄ったりすることはない。
【００３８】
図１４では真空吸着ヘッド８２が第２ディスク準備テーブル５０の上へ移動する。入れ代わりに剥離ユニット６０が第２ディスク３に接近し、粘着層４から粘着防止フィルムを剥離する。この後インデックステーブル１１が１８０゜回動し、貼着作業テーブル２０を第１ディスク移載手段７０に近い側に移動させる。
【００３９】
また図１４ではインデックステーブル１２が１８０゜回動し、第１ディスク２を受け取っていた第１ディスク準備テーブル４０が第１ディスク移載手段７０の真空吸着ヘッド７２の下に到着する。真空吸着ヘッド７２は第１ディスク２を吸着し、持ち上げる。
【００４０】
図１５では真空吸着ヘッド８２が下降し、第２ディスク準備テーブル５０の凹所５１に嵌合案内コア５２を嵌合させた。また第１ディスク２を吸着した真空吸着ヘッド７２が貼着作業テーブル２０の上に移動した。
【００４１】
図１６では、真空吸着ヘッド８２が芯部８３の真空吸引口８５による吸引を断ち、嵌合案内コア５２を第２ディスク準備テーブル５０の上に残して退避した。この後インデックステーブル１３が１８０゜回動し、第２ディスク供給手段より第２ディスク３の供給を受ける位置へ第２ディスク準備テーブル５０を移動させる。
【００４２】
また図１６では真空吸着ヘッド７２が下降し、センタリングコア２１の小径部２２に第１ディスク２の中心穴５を嵌合させている。凹所７３の深さの関係で、センタリングコア２１の肩部２５に第１ディスク２が当たる前に、凹所７３の天井面がセンタリングコア２１の頂面に当たり、センタリングコア２１を押し下げ始める。第１ディスク２とセンタリングコア２１はこの後一緒に沈下する。
【００４３】
図１７では第１ディスク２を第２ディスク３に押しつけるところまで真空吸着ヘッド７２が下降した。これにより、第１ディスク２と第２ディスク３とが粘着層４を介して結合する。センタリングコア支持手段３０である圧縮コイルばね３１を押し縮める形で、センタリングコア２１も下降している。
【００４４】
図１８では、第１ディスク２と第２ディスク３が粘着層４により結合されて構成されたディスク１を真空吸着ヘッド７２が貼着作業テーブル２０の上方に持ち上げている。真空吸着ヘッド７２はこの後ディスク１を第１ディスク準備テーブル４０に載置する。その後真空吸着ヘッド７２は吸引を断ち、ディスク１を第１ディスク準備テーブル４０の上に残して退避する。
【００４５】
これを受けてインデックステーブル１２が１８０゜回動し、ディスク１を載置した第１ディスク準備テーブル４０を第１ディスク供給位置へと移動させる。そこで図示しないディスク取出手段がディスク１を取り出す。空になった第１ディスク準備テーブル４０は次の第１ディスク２を待ち受ける。一方第２ディスク準備テーブル５０では、第２ディスク供給手段が早くも次の第２ディスク３を運んできている。
【００４６】
以上本発明の一実施形態につき説明したが、この他、発明の主旨を逸脱しない範囲でさらに種々の改変を加えて実施することができる。例えば、第１ディスクと第２ディスクの貼り合わせを真空チェンバーの中で行い、貼り合わせ面に気泡が含まれないようにしてディスク品質を向上させることができる。
【００４７】
【発明の効果】
本発明は次のような効果を奏するものである。
【００４８】
本発明では、中心穴を備えた第１ディスクと、前記第１ディスクの中心穴より直径の大きい中心穴を備えた第２ディスクとを、いずれか又は双方のディスク面に設けた粘着層を介して貼り合わせる際、貼着作業テーブルに高さ可変に設けたセンタリングコアの大径部に中心穴を嵌合させる形で第２ディスクを貼着作業テーブルの上に載置し、それからセンタリングコアの小径部に第１ディスクの中心穴を嵌合させた第１ディスクをセンタリングコアとともに第１ディスク押圧手段で下降させて第２ディスクに押しつけ、貼り合わせを行うようにしたものであるから、第１ディスクと第２ディスクは互いに中心がきちんと合った状態で貼り合わせられるとともに、これをシンプルな構成で実現できる。
【００４９】
加えて、センタリングコアは高さ不変ではなく沈下可能なので、センタリングコアに何かが付着してセンタリングコアの高さ方向の寸法が変化したような場合でも、第１ディスクの第２ディスクへの接近が妨げられるようなことがない。従って第１ディスクを第２ディスクに確実且つ均一に押しつけることができる。
【００５０】
また本発明では、前記第１ディスク移載手段の構成要素である真空吸着ヘッドを前記第１ディスク押圧手段に兼用したから、第１ディスク押圧手段を別途設ける必要がなく、シンプルな構成とすることができる。
【００５１】
また本発明では、第２ディスクの中心穴をセンタリングコアの大径部に嵌合するに際し、一旦第２ディスク準備テーブルの上で第２ディスクの中心穴を嵌合案内コアに嵌合し、嵌合状態にある嵌合案内コアと第２ディスクとを第２ディスク移載手段により貼着作業テーブルの上に運び、嵌合案内コアを前記センタリングコアの小径部に嵌合しておいてから第２ディスクを押し下げ、嵌合案内コアからセンタリングコアの大径部の側に第２ディスクを移し替えるようにしたものであるから、第２ディスクが剛性に乏しくたわみやすいものであってもその中心穴を確実にセンタリングコアに嵌合させることができる。第２ディスクが光ディスクの光透過性シートのようなきわめて薄いものである場合、この構成のもたらす効果は特に大きい。
【図面の簡単な説明】
【図１】  本発明ディスク貼り合わせ装置の一実施形態を示す平面図
【図２】  貼着作業テーブルの断面図
【図３】  第１ディスク準備テーブルの側面図
【図４】  第２ディスク準備テーブルの断面図
【図５】  第１ディスク用の真空吸着ヘッドの断面図
【図６】  第２ディスク用の真空吸着ヘッドの断面図
【図７】  ディスク貼り合わせ作業の第１説明図
【図８】  ディスク貼り合わせ作業の第２説明図
【図９】  ディスク貼り合わせ作業の第３説明図
【図１０】  ディスク貼り合わせ作業の第４説明図
【図１１】  ディスク貼り合わせ作業の第５説明図
【図１２】  ディスク貼り合わせ作業の第６説明図
【図１３】  ディスク貼り合わせ作業の第７説明図
【図１４】  ディスク貼り合わせ作業の第８説明図
【図１５】  ディスク貼り合わせ作業の第９説明図
【図１６】  ディスク貼り合わせ作業の第１０説明図
【図１７】  ディスク貼り合わせ作業の第１１説明図
【図１８】  ディスク貼り合わせ作業の第１２説明図
【図１９】  ディスクの断面図
【図２０】  ディスクの正面図
【符号の説明】
１    ディスク
２    第１ディスク
３    第２ディスク
４    粘着層
５、６  中心穴
１０  ディスク貼り合わせ装置
１１、１２、１３  インデックステーブル
２０  貼着作業テーブル
２１  センタリングコア
２２  小径部
２４  大径部
２５  肩部
３０  センタリングコア支持手段
３１  圧縮コイルばね
４０  第１ディスク準備テーブル
５０  第２ディスク準備テーブル
５２  嵌合案内コア
６０  剥離ユニット
７０  第１ディスク移載手段
７２  真空吸着ヘッド（第１ディスク押圧手段）
８０  第２ディスク移載手段
８２  真空吸着ヘッド
【図１】
0004024060.tif 000002
【図２】
0004024060.tif 000003
【図３】
0004024060.tif 000004
【図４】
0004024060.tif 000005
【図５】
0004024060.tif 000006
【図６】
0004024060.tif 000007
【図７】
0004024060.tif 000008
【図８】
0004024060.tif 000009
【図９】
0004024060.tif 000010
【図１０】
0004024060.tif 000011
【図１１】
0004024060.tif 000012
【図１２】
0004024060.tif 000013
【図１３】
0004024060.tif 000014
【図１４】
0004024060.tif 000015
【図１５】
0004024060.tif 000016
【図１６】
0004024060.tif 000017
【図１７】
0004024060.tif 000018
【図１８】
0004024060.tif 000019
【図１９】
0004024060.tif 000020
【図２０】
0004024060.tif 000021